(57)【要約】【課題】  商品と重ねて陳列することにより、商品の部位ごとのアピールポイントを効果的に消費者にアピールすることが出来、かつ、説明表示シート収納部に挿入する説明表示シートを変えるだけで、様々な商品に対応できる陳列用ハンガーを提供する。【解決手段】上端に吊り下げ用のフックを備えた陳列用ハンガーであり、透明な樹脂で構成された前板と後板とからなり、前板２と後板３とを重ね合わせ、左端部を除いた外周を互いに固着することによって、前板２と後板３の間に説明表示シート収納部８を設ける。説明表示シート収納部８には、商品２０に関する広告や機能説明等の文字や図式等を記載した透明素材からなる説明表示シート９を挿入して使用する。【選択図】図５
2006042995.tif 000002
【特許請求の範囲】
【請求項１】
上端に吊り下げ用のフックを備えた陳列用ハンガーであり、
透明な樹脂で構成された前板と後板とを有し、前記前板と前記後板とは重ね合わされ、左端部を除いた外周を互いに固着されていることを特徴とする陳列用ハンガー。
【請求項２】
請求項１に記載の陳列用ハンガーにおいて、
前記後板にはずらし孔が設けられていることを特徴とする陳列用ハンガー。
【発明の詳細な説明】
【技術分野】
【０００１】
本発明は、商品と並べて陳列することにより、商品の特徴をより分かりやすくアピールすることが出来る陳列用ハンガーに関する。
【背景技術】
【０００２】
従来から、陳列用ハンガーとして、透明の袋等を利用して、商品と共に陳列し商品特徴等を広告する陳列用ハンガーが提案されている。
【０００３】
例えば、実開平６−８６６２５には、商品を出し入れできる透明の収納袋と、品名や広告等の表示をする為の文字表示用薄板を収納する透明の収納袋とを一体化した上で上部に引っ掛け穴を設け、その引っ掛け穴を利用してフックによって店内につるして使用するという陳列用ハンガーが開示されている。
【特許文献１】実開平６−８６６２５号公報
【発明の開示】
【発明が解決しようとする課題】
【０００４】
しかし、実開平６−８６６２５号公報に開示される陳列用ハンガーは、商品の特徴等について文字表示用薄板を利用してアピールできるものの、商品の収納袋と文字表示用薄板の収納袋が縦に並列して一体化されているため、商品のどの部分が特徴であるかを見るために、商品と文字表示用薄板の両方を比較対照して見る必要があり、アピール効果が弱かった。
【０００５】
本発明は、前記従来の問題を解決するため、商品と重ねて陳列することにより、商品の部位ごとのアピールポイントを効果的に消費者にアピールすることが出来、かつ、説明表示シート収納部に挿入する説明表示シートを変えるだけで、様々な商品に対応できる陳列用ハンガーを提供することを目的とする。
【課題を解決するための手段】
【０００６】
前記目的を達成するため、請求項１に記載の発明は、上端に吊り下げ用のフックを備えた陳列用ハンガーであり、透明な樹脂で構成された前板と後板とを有し、前記前板と前記後板とは重ね合わされ、左端部を除いた外周を互いに固着されていることを特徴とする陳列用ハンガーに関するものである。
【０００７】
また、請求項２に記載の発明は、請求項１に記載の陳列用ハンガーにおいて、前記後板にはずらし孔が設けられていることを特徴とする陳列用ハンガーに関するものである。
【発明の効果】
【０００８】
本発明は、商品と重ねて陳列することにより、商品の部位ごとのアピールポイントを効果的に消費者にアピールすることが出来、かつ、説明表示シート収納部に挿入する説明表示シートを変えるだけで、様々な商品に対応して使用できる効果がある。
【発明を実施するための最良の形態】
【０００９】
以下、本発明の実施態様を添付図面に基づいて説明する。
【００１０】
図１は本発明の一実施態様による陳列用ハンガー１の斜視図であり、図２は陳列用ハンガー１の前板２の平面図であり、図３は陳列用ハンガー１の後板３の平面図である。
【００１１】
図１に示すように、陳列用ハンガー１は前板２と後板３とフック４とからなる。
【００１２】
前板２と後板３は透明な樹脂で構成されている。
前板２と後板３の外周形状は等しく、販売されている商品、具体的には水着やトレーニング用のウェア等が陳列されているハンガーの外周形状とほぼ重なるような形状とする。
前板２と後板３とは外周が一致するように重ね合わされ、左側の端部のみを開口部７として開口させ、残る上側および下側および右側の端部を接着部６にてそれぞれ接着することによって、前板２と後板３の間に説明表示シート収納部８が設けられている。
【００１３】
図４は陳列用ハンガー１の説明表示シート収納部８に、説明表示シート９を挿入する過程の模式図であり、図５は陳列用ハンガー１の使用状態を示す図である。
図４に示す様に、陳列用ハンガー１の説明表示シート収納部８に、商品２０に関する広告や機能説明等の文字や図式等を記載した透明素材からなる説明表示シート９を挿入する。また、図５に示す様に、説明表示シート９を挿入した陳列用ハンガー１を商品２０の前に重ねた状態で吊るして陳列することによって、説明表示シート９に記載された商品２０に関する広告や機能説明等の文字や図式を、商品２０と重ね合わせて見せることが出来、商品２０の部位ごとの機能等をより具体的にアピールすることができる。
具体的には、ウェスト部分に特徴がある商品の前に重ねて陳列する場合には、説明表示シート９のウェスト部分に該当する位置に「ウェストがほっ」等の文字やイラスト等を記入し、陳列用ハンガー１に挿入し商品２０と重ねて陳列する。すると、説明表示シート９に記載された「ウェストがほっ」と言う文字の奥に商品２０のウェスト部分が重なって見えるので、商品２０のウェスト部分に特徴があることを消費者がひと目で認識することが出来る。
【００１４】
前板２と後板３を構成する材料は透明性が高く、ある程度剛性のある材料が好ましい。具体的には、ポリプロピレン等が適している。
【００１５】
前板２と後板３の厚みは、陳列した際にあまりスペースをとらないと言う点で、１．５ｍｍ以下が好ましい、また全体の剛性の点では、０．３mm以上が好ましい。
【００１６】
図６は本発明における他の実施態様である。
前板２と後板３の外周形状は、陳列する商品とほぼ同形状であれば良い。よって、図６に示す様に、中央付近のくびれの形状等は陳列する商品によって適宜変更すると良い。
【００１７】
図５に示すように、陳列した際に陳列用ハンガー１が目立つように小見出し１０を設けた。小見出し１０を設けることによって、商品２０と陳列用ハンガー１とが複数重なって吊るされている状態でも小見出し１０のみが突出するので、陳列用ハンガー１がどこにあるかがすぐ分かり、より強く消費者にアピールすることが出来る。
【００１８】
図７は本発明の図１におけるＡ−Ａ断面の模式図である。
図７に示すように、後板３には、ずらし孔５を設けてもよい。ずらし孔５を設けることによって、説明表示シート９を説明表示シート収納部８に挿入する際に、ずらし孔５に指等を入れることが出来るので、説明表示シート９を容易に奥に送り込むことが出来る。
ずらし孔５は説明表示シート９の送り込みやすさを考慮して、後板３の上部と下部の２箇所に設けるのが好ましい。ずらし孔５の幅Ｄは説明表示シート９の送り込み安やすさと言う点で、指が入る程度、すなわち１０ｍｍ以上が好ましい。また、外観の点で３０ｍｍ以下が好ましい。
【００１９】
図４に示すように、前板２と後板３とは、左側に設けた開口部７を除いて、外周端部を接着により固着する。通常、商品を陳列する際には、左側が奥になるように陳列することが多いので、開口部７を左側に設けることによって、使用者が誤って、説明表示シート９を陳列用ハンガー１から引き出してしまうことを防止することが出来る。
【産業上の利用可能性】
【００２０】
本発明の活用例としては、水着用の陳列用ハンガーの他に、一般用衣服等の陳列用ハンガーとして用いることが出来る。
【図面の簡単な説明】
【００２１】
【図１】本発明の一実施態様による陳列用ハンガー１の斜視図である。
【図２】陳列用ハンガー１の前板２の平面図である。
【図３】陳列用ハンガー１の後板３の平面図である。
【図４】陳列用ハンガー１の説明表示シート収納部８に、説明表示シート９を挿入する過程の模式図である。
【図５】陳列用ハンガー１の使用状態を示す図である。
【図６】本発明における他の実施態様である。
【図７】本発明の図１におけるＡ−Ａ断面の模式図である。
【符号の説明】
【００２２】
１：陳列用ハンガー
２：前板
３：後板
４：フック
５：ずらし孔
６：接着部
７：開口部
８：説明表示シート収納部
９：説明表示シート
１０：小見出し
２０：商品
Ｄ：ずらし孔５の幅
【図１】
2006042995.tif 000003
【図２】
2006042995.tif 000004
【図３】
2006042995.tif 000005
【図４】
2006042995.tif 000006
【図５】
2006042995.tif 000007
【図６】
2006042995.tif 000008
【図７】
2006042995.tif 000009